(57)【要約】【課題】  買い物時にレジなどで商品持ち帰りに提供される大小様々の袋を再利用でき、且つ、衛生面でも良好なペット用糞処理装置を提供する。【解決手段】  ペット用糞処理装置１０は、一側に開口４２と当該開口４２の両側に把手４４を備えた可撓性の袋４０の把手４４を係支するフック３６が設けられた支持部材１２と、この支持部材１２の下部に回動自在に設けられ、袋４０の開口４２を開いた状態で当該袋４０を保持する受け部材３０と、支持部材１２に設けられ、袋４０を保持する保持状態と、支持部材１２から吊り下がる被保持状態とに受け部材３０を操作する操作手段とを備える。【選択図】          図１
2005295900.tif 000002
【特許請求の範囲】
【請求項１】
一側に開口と当該開口の両側に把手を備えた可撓性の袋の前記把手を係支するフックが設けられた支持部材と、該支持部材の下部に回動自在に設けられ、前記袋の開口を開いた状態で当該袋を保持する受け部材と、前記支持部材に設けられ、前記袋を保持する保持状態と、前記支持部材から吊り下がる被保持状態とに前記受け部材を操作する操作手段とを備えたことを特徴とするペット用糞処理装置。
【請求項２】
前記操作手段は、前記受け部材に離接自在に設けられ、前記受け部材に当接して当該受け部材を前記保持状態に維持するアームと、該アームを前記受け部材方向に付勢する付勢部材とから構成したことを特徴とする請求項１のペット用糞処理装置。
【請求項３】
前記受け部材には前記袋の開口を開いた状態に保持する袋押さえを設けたことを特徴とする請求項１又は請求項２のペット用糞処理装置。
【請求項４】
前記フックを前記支持部材に上下複数段設けたことを特徴とする請求項１、請求項２又は請求項３のペット用糞処理装置。
【発明の詳細な説明】
【技術分野】
【０００１】
本発明は、ペットの糞処理装置に関し、特に、犬の散歩時に排泄された糞に手を触れずに自動的に袋に入れて糞の始末を簡単且つ衛生的に行うペット用糞処理装置に関するものである。
【背景技術】
【０００２】
従来ペットとして犬を飼う場合、犬の運動不足を解消するため略毎日散歩は欠かせない。特に、散歩中に排泄した犬の糞の後始末は飼い主にマナーとして求められており、一般的な糞処理としては一旦地面に糞をさせた後、スコップで覆いビニール袋等に入れて持ち帰る方法、或いは、犬が排便をしようとした際に、犬の尻の下方に紙やビニールシートなどを敷いて排便させた後、その糞を紙やビニールシートで包んで容器に入れ持ち帰る方法などが採られている。
【０００３】
しかし、犬の糞を処理するためのこのような方法では不衛生感を否めない。そのため、近年では衛生的に糞の後始末をするための様々な糞取り具が考えられてきている。その一例を挙げると、杆体の後部に手持ち部を形成し、先端に設けた輪環状体に上方を開口した使い捨てプラスチック袋体を着脱自在に吊り下げる。そして、犬が糞をしている時に、杆体を手で持ってプラスチック袋体を犬の尻の下に位置させることにより、犬の糞をプラスチック袋体内部に受け取っていた。この場合、犬の糞に手を触れずに受け取り、そのまま廃棄していたので、衛生面も良好であった（特許文献１参照）。
【０００４】
一方、買い物して商品を持ち帰る際には、レジにて商品の量に応じて大小様々な袋に商品が入れられている。そして、商品を持ち帰った後は袋内から商品を取り出していた。
【０００５】
【特許文献１】特開２００４−１６２１７号公報
【発明の開示】
【発明が解決しようとする課題】
【０００６】
しかしながら、従来のペット用糞処理装置は、輪環状体に上方を開口した使い捨てプラスチック袋体を着脱自在に吊り下げているが、プラスチック袋体は、ただ単に輪環状体に吊り下げているだけであった。このため、犬が動くとその犬の動きに伴って手で杆体を動かしたり、或いは、風が吹いたりすると輪環状体からプラスチック袋体が脱落してしまう恐れがあった。
【０００７】
また、買い物時にレジなどで商品を持ち帰る際に商品が入れられて提供される大小様々の袋は、袋内から商品を取り出した後そのまま捨てられていた。
【０００８】
本発明は、係る従来技術の課題を解決するために成されたものであり、買い物時にレジなどで商品を持ち帰る際提供される大小様々の袋を再利用でき、且つ、衛生面でも良好なペット用糞処理装置を提供することを目的とする。
【課題を解決するための手段】
【０００９】
即ち、本発明のペット用糞処理装置は、一側に開口と当該開口の両側に把手を備えた可撓性の袋の把手を係支するフックが設けられた支持部材と、この支持部材の下部に回動自在に設けられ、袋の開口を開いた状態で当該袋を保持する受け部材と、支持部材に設けられ、袋を保持する保持状態と、支持部材から吊り下がる被保持状態とに受け部材を操作する操作手段とを備えたことを特徴とする。
【００１０】
また、請求項２の発明のペット用糞処理装置は、上記において、操作手段は、受け部材に離接自在に設けられ、受け部材に当接して当該受け部材を保持状態に維持するアームと、このアームを受け部材方向に付勢する付勢部材とから構成したことを特徴とする。
【００１１】
また、請求項３の発明のペット用糞処理装置は、請求項又は請求項２に加えて、受け部材には袋の開口を開いた状態に保持する袋押さえを設けたことを特徴とする。
【００１２】
また、請求項４の発明のペット用糞処理装置は、請求項１、請求項２又は請求項３において、フックを支持部材に上下複数段設けたことを特徴とする。
【発明の効果】
【００１３】
以上詳述した如く本発明によれば、一側に開口と当該開口の両側に把手を備えた可撓性の袋の把手を係支するフックが設けられた支持部材と、この支持部材の下部に回動自在に設けられ、袋の開口を開いた状態で当該袋を保持する受け部材と、支持部材に設けられ、袋を保持する保持状態と、支持部材から吊り下がる被保持状態とに受け部材を操作する操作手段とを備えたので、保持状態の袋の開口内に例えばペットの糞を受け止めて操作手段を操作して袋を被保持状態にすれば、支持部材から吊り下った袋内に糞を入れることができる。これにより、手を汚さずにペットの糞を袋に入れることができ極めて衛生的にペットの糞を処理することができるようになる。
【００１４】
また、請求項２の発明によれば、上記において、操作手段は、受け部材に離接自在に設けられ、受け部材に当接して当該受け部材を保持状態に維持するアームと、このアームを受け部材方向に付勢する付勢部材とから構成したので、アームを受け部材側から離間する方向に移動操作するだけで、付勢部材の付勢力に逆らってアームを受け部材から容易に離間させることができる。これにより、受け部材を、袋を保持する保持状態から、袋を支持部材から吊り下げる被保持状態にすることができるので、例えば袋の開口内に受け止めたペットの糞を簡単に吊り下った袋内に入れることができる。従って、極めて衛生的にペットの糞を袋に入れることができるようになるものである。
【００１５】
また、請求項３の発明によれば、請求項１又は請求項２に加えて、受け部材には袋の開口を開いた状態に保持する袋押さえを設けたので、ペット用糞処理装置の使用時となる袋を保持する受け部材の保持状態では、袋押さえで袋の開口を開いた状態で袋の厚みを薄くできて、例えばペットの尻の下に受け部材を挿入し易くでき、糞を袋の開口内に確実に保持することができる。これにより、ペットが動く方向に袋を動かしたり、風が吹いている状態などでも、受け部材上に袋の開口を開いた状態で維持することができる。従って、受け部材上に載置した袋が動くこともないので、ペットの糞を確実に袋の開口内に受け止めることができるようになるものである。
【００１６】
また、請求項４の発明によれば、請求項１、請求項２又は請求項３において、フックを支持部材に上下複数段設けたので、例えば大きさの異なる袋の把手を上下複数段設けた何れかの段のフックに係支することができる。特に、買い物時にレジなどで商品を持ち帰る際に提供される大小様々の袋の大きさに各段のフックの位置を合わせておけば、それら大小様々な袋を利用することができる。これにより、買い物時にレジなどで商品を持ち帰る際に提供される大小様々の袋を無駄なく効果的に利用することができる。従って、ペット用糞処理装置の利便性を大幅に向上させることができるようになるものである。
【発明を実施するための最良の形態】
【００１７】
本発明は、犬の糞処理時の不衛生感を防止し、且つ、買い物時にレジなどで商品を持ち帰る際に提供される大小様々な袋を有効に利用することを特徴とする。不衛生感を防止し、買い物時に商品を持ち帰る際に提供される大小様々な袋を有効に利用するという目的を、支持部材に袋の把手を係支する複数段のフックと、支持部材の下部に袋を保持する受け部材を設けることにより実現した。
【００１８】
次に、図面に基づき本発明の実施の形態を詳述する。図１は本発明の一実施例を示すペット用糞処理装置１０の正面図、図２は同図１のペット用糞処理装置の側面図、図３は同図１のペット用糞処理装置の平面図をそれぞれ示している。
【００１９】
ペット用糞処理装置１０は、図１に示すように支持部材１２と、この支持部材１２の下部に回動自在に設けられた受け部材３０とから構成されている。支持部材１２は所定の間隔を存して設けられた一対の縦支持棒１４と、両縦支持棒１４の上端に設けられ、ペット用糞処理装置１０を持ち運び可能な取っ手１６と、両縦支持棒１４間に渡って設けられた把持部材１８及び横支持棒２０とから構成されている。尚、受け部材３０については後で詳しく説明する。
【００２０】
該ペット用糞処理装置１０は携帯可能な大きさ、例えば、長さ約３００ｍｍ〜５００ｍｍ、幅約１５０ｍｍ〜２００ｍｍにて構成されている。即ち、縦支持棒１４と取っ手１６と把持部材１８及び横支持棒２０は、１辺が約１５ｍｍ〜３０ｍｍの角筒（この場合丸筒でも差し支えない）にて構成されると共に、アルミニウム或いは合成樹脂などにて構成されている。縦支持棒１４は、長さ約３００ｍｍ〜５００ｍｍ、取っ手１６と把持部材１８及び横支持棒２０は長さ約１５０ｍｍ〜２００ｍｍにて構成されている。
【００２１】
両縦支持棒１４には後述する袋４０の把手４４（図４に図示）を係支するフック３６が複数設けられている。このフック３６は、直径約５ｍｍ程度の棒状で側面略Ｕ字状に形成され一方が縦支持棒１４に固定されると共に、上方（把持部材１８側）を開口している。フック３６は両側の縦支持棒１４の平行位置にそれぞれ対向して設けると共に、支持部材１２の上下方向に複数段（実施例では２段）設けている。尚、フック３６は上下方向に２段に限らず、使用する袋４０の大きさに合わせて３段、４段、５段、６段と数多く設けても良い。
【００２２】
即ち、フック３６は受け部材３０と把持部材１８間に複数段設けられている。このフック３６は縦支持棒１４に一体に設けられている。尚、フック３６は弾性金属（針金）に別体に構成して縦支持棒１４にネジで固定しても良い。この場合、フック３６が多少変形しても弾性変形するため破損してしまうのを防止することができて便利である。また、袋４０は後述する如き異なる大きさのものがあるので、大きな袋４０は支持部材１２に複数段設けた上段のフック３６に係支されると共に、小さな袋４０は下段のフック３６に係支される。
【００２３】
また、両縦支持棒１４間に渡って設けられた把持部材１８は、取っ手１６と所定の間隔を存して受け部材３０側に設けられ、各横支持棒２０は取っ手１６と受け部材３０間に所定の間隔を存して設けられている。これら、取っ手１６、把持部材１８及び各横支持棒２０は、両縦支持棒１４に図示しないネジ或いは溶接などで固定されている。
【００２４】
前記受け部材３０は、長さ約１５０ｍｍ〜２００ｍｍ、幅約１３０ｍｍ〜１８０ｍｍの縦長略矩形状の板状に形成されている。受け部材３０には長手方向一側の両側に所定寸法延在する回転軸３２が設けられている。また、両縦支持棒１４の下部には、図２に示すように受け部材３０に設けた回転軸３２が挿入可能な挿通孔１４Ａが設けられており、受け部材３０は回転軸３２が両縦支持棒１４下部の挿通孔１４Ａに挿入された状態で、両縦支持棒１４の前方に延在すると共に所定寸法後方にも延在している。
【００２５】
係る受け部材３０は、図３に示すように受け部材３０の大部分が支持部材１２より前方に延在すると共に、支持部材１２より後方に所定寸法（この場合約１５ｍｍ〜３０ｍｍ）延在している（図３矢印範囲）。そして、支持部材１２より後方に所定寸法延在した受け部材３０に後述するアーム２２に当接するロック爪３０Ａ（図５に図示）が設けられている。尚、受け部材３０は厚さ約３ｍｍ位で波形トタンのように波形に形成されて容易に変形しないように構成されている。
【００２６】
ここで、袋４０の説明を行う。袋４０は、食品などの商品を買い物した時、商品を持ち帰る際レジで商品が入れられて提供される袋４０で、この袋４０は商品を買い物した時の商品の量によって大きなものや小さなものが利用されるが、本発明のペット用糞処理装置１０では前述した如きこれら大きなものや小さなものを利用できるように構成している。該袋４０は、半透明や白或いは着色された商品持ち帰り用の袋４０で可撓性を有している。袋４０は、図４に示すように下方に商品が入れられる袋本体４０Ａが設けられ、上方に開口４２が形成されると共に、開口４２の両側に把手４４が設けられている一般的な商品持ち帰り用のものである。
【００２７】
該受け部材３０には直径約５ｍｍ程度の棒状の袋押さえ３４が、当該受け部材３０と一体に設けられている。この袋押さえ３４は、支持部材１２側から前方に所定寸法延在（この場合、受け部材３０の前端近傍まで延在している）すると共に、受け部材３０の両側に設けられている。袋押さえ３４の一側は、受け部材３０の支持部材１２近傍に固定され、その前側は袋４０を挿入できるように受け部材３０より所定寸法離間し、先端は開口している。尚、袋押さえ３４を受け部材３０とは別体の弾性金属（針金）にて構成し、受け部材３０の支持部材１２近傍にネジで固定しても良い。この場合、袋押さえ３４を多少変形させても弾性変形するため破損してしまうのを防止することができて便利である。
【００２８】
一方、支持部材１２には操作手段が設けられており、この操作手段は袋４０の開口４２を開いた状態で、袋４０を受け部材３０上に保持する受け部材３０の保持状態と、袋４０が支持部材１２から吊り下がる被保持状態とに操作できるように構成されている。該操作手段は、アーム２２と付勢部材２６とから構成されており、アーム２２は横支持棒２０の略中央に設けられた図示しない貫通穴内に挿通されて、上下動自在に構成されると共に、受け部材３０に離接自在に構成されている。
【００２９】
付勢部材２６は例えばコイルバネにて構成されており、この付勢部材２６は、アーム２２の上端と把持部材１８との間に設けられている。そして、付勢部材２６はこの状態でアーム２２を常時受け部材３０側に付勢するように構成されている。尚、付勢部材２６はネジ（図示せず）で把持部材１８及びアーム２２に固定され、付勢部材２６が脱落しないようになっている。
【００３０】
また、アーム２２の上端には操作部材２４が設けられており、この操作部材２４は把持部材１８と略平行に設けられている。該操作部材２４は直径約１５ｍｍ〜約２０ｍｍ、長さ約１００ｍｍ〜１５０ｍｍの円筒形に構成されている。そして、付勢部材２６にて付勢されたアーム２２の下端は前記受け部材３０の後側に所定寸法延在して設けたロック爪３０Ａに当接される。この状態で、受け部材３０は支持部材１２の前方側を約１５°〜約２０°下方に傾斜させている。
【００３１】
そして、図５に示すようにアーム２２にロック爪３０Ａが当接された状態で、ロック爪３０Ａはアーム２２の側面に当接する。即ち、受け部材３０のロック爪３０Ａは、アーム２２の上下動方向に対して略直角方向に応力が働くように構成されている。このようにロック爪３０Ａをアーム２２の側面に当接させているので、付勢部材２６の付勢力を弱くしても、受け部材３０は回転軸３２を支点に下方に回動せずに略水平に保持することができる。この場合、付勢部材２６は、ペット用糞処理装置１０の取り扱いや操作性を妨げない範囲で付勢力を弱くしている。
【００３２】
該操作部材２４を図６に示すように把持部材１８方向（図中矢印方向）に移動させると、受け部材３０が回転軸３２を支点に自重で下方に回動する（図中矢印）。そして、操作部材２４と把持部材１８とを手で握り、操作部材２４を把持部材１８側に移動させる、或いは、操作部材２４を手で把持部材１８側に移動させると、矢印で示すように受け部材３０は自重で下に垂れ下がる（図中受け部材３０は点線状態から実線状態になる）ように構成されている。
【００３３】
以上の構成で次に、図７を参照してペット用糞処理装置１０の使い方を説明する。尚、袋４０は小さなものが利用される。また、受け部材３０の後側に設けたロック爪３０Ａがアーム２２の下端に当接して、受け部材３０は上面に袋４０を保持可能な保持状態になっているものとする。そして、袋４０の一方の把手４４が支持部材１２の一方の縦支持棒１４に設けたフック３６に係支され、他方の把手４４が他方の縦支持棒１４に設けたフック３６に係支される。
【００３４】
次に図８に示すように受け部材３０の上面全体に袋４０の開口４２を開いて、開口４２の両端を受け部材３０と袋押さえ３４との間に入れて挟む。これにより、開口４２の両端は袋押さえ３４によって受け部材３０に押さえられ、袋４０が開口された状態で維持される。このとき、袋４０の開口４２を袋押さえ３４の先端に引っかけておくと袋４０の開口４２を一層確実に開いておくことができる。
【００３５】
そして、犬５０（本発明のペットに相当）の散歩中に排泄が始まったならば、図９に示すように受け部材３０を略水平にした状態で、犬５０の尻の下方に挿入する。このとき、袋４０は袋押さえ３４で押さえているので、風で袋４０が移動したり、動いたりすることがなく、犬５０の尻の下に袋４０の開口４２を確実に位置させることができる。これによって、袋４０の開口４２内に確実に犬５０の糞を捕らえることができる。また、受け部材３０は支持部材１２の前方側を約１５°〜約２０°下方に傾斜させているので、受け部材３０を水平にした状態で、取っ手１６を犬５０から遠ざけることができる。これにより、犬５０より離れた状態で、犬５０の尻の下方に受け部材３０を位置させて袋４０の開口４２内に糞を捕らえることができ便利である。
【００３６】
犬５０の糞の排泄が終了したならば、操作部材２４と把持部材１８とを手で握って操作部材２４を把持部材１８側に移動させる。操作部材２４が手で握られると付勢部材２６は圧縮されてアーム２２は把持部材１８側に移動する。これによって、アーム２２に当接していた受け部材３０後側のロック爪３０Ａが外れ、袋４０の保持状態となっていた受け部材３０は回転軸３２を支点に自重で下方に回動して支持部材１２のフック３６に把手４４が係支されて袋４０が吊り下がる被保持状態となる。
【００３７】
袋４０の把手４４がフック３６に吊り下がる被保持状態になると、それに伴って、糞が入った袋本体４０Ａは自重で下に落下する。このとき、袋４０は両方の把手４４が両支持部材１２に設けたフック３６に係支されているので、糞が入った袋本体４０Ａだけが自重で下に落下し、フック３６から袋４０が垂れ下がる。そして、フック３６から両把手４４を外して縛り、袋４０の開口４２を閉塞する。これにより、犬５０が排泄した糞に手を触れることなく袋４０内に入れ処理することができる。
【００３８】
このように、一側に開口４２と当該開口４２の両側に把手４４を備えた可撓性の袋４０の把手４４を係支するフック３６が設けられた支持部材１２と、この支持部材１２の下部に回動自在に設けられ、袋４０の開口４２を開いた状態で当該袋４０を保持する受け部材３０と、支持部材１２に設けられ、受け部材３０の上面に袋４０を保持する受け部材３０の保持状態と、袋４０が支持部材１２から吊り下がる受け部材３０の被保持状態とに受け部材３０を操作する操作手段とを備えているので、保持状態の袋４０の開口４２内に犬５０の糞を受け止めた後操作手段を操作して袋を被保持状態にすれば、支持部材１２から吊り下った袋４０内に糞を入れることができる。これにより、手を汚さずにペットの糞を袋４０に入れることができ極めて衛生的にペットの糞を処理することができる。
【００３９】
また、操作手段は、受け部材３０に離接自在に設けられ、受け部材３０に当接して当該受け部材３０を保持状態に維持するアーム２２と、このアーム２２を受け部材３０方向に付勢する付勢部材２６とから構成しているので、アーム２２を受け部材３０側から離間する方向に移動操作するだけで、付勢部材２６の付勢力に逆らってアーム２２を受け部材３０から容易に離間させることができる。これにより、袋４０を受け部材３０の上面で保持する受け部材３０の保持状態から、袋４０が受け部材３０の上面に保持されず、袋４０を支持部材１２に設けたフック３６から吊り下げる受け部材３０の被保持状態にすることができるので、袋４０の開口４２内に受け止めた糞を簡単に吊り下った袋４０内に入れることができるようになる。
【００４０】
また、受け部材３０には袋４０の開口４２を開いた状態に保持する袋押さえ３４を設けているので、ペット用糞処理装置１０の使用時となる袋４０を保持する受け部材３０の保持状態では、袋押さえ３４で袋４０の開口４２を開いた状態で袋４０の厚みを薄くできて、犬５０の尻の下に挿入し易くなり、糞を袋４０の開口４２内に確実に保持することができる。また、袋押さえ３４で袋４０を押さえているので、受け部材３０上に載置した袋４０が動くこともない。これにより、犬５０が動く方向に袋４０を動かしたり、風が吹いている状態などでも、受け部材３０上に袋４０の開口４２を開いた状態で維持することができるので、犬５０の糞を確実に袋４０の開口４２内に受け止めることができるようになる。
【００４１】
また、フック３６を支持部材１２に上下方向に複数段設けているので、大きい袋４０の把手４４は、上下複数段設けた上段のフック３６に係支し、小さい袋４０の把手４４は、上下複数段設けた下段のフック３６に係支することができる。これにより、買い物時にレジなどで商品を持ち帰る際に提供される大小様々の袋４０を上下方向に複数段設けた何れかのフック３６に係支することができるので、それら大小様々な袋４０を再利用することができる。従って、買い物時にレジなどで商品を持ち帰る際に提供される大小様々の袋４０を無駄なく効果的に利用することができ、ペット用糞処理装置１０の利便性を大幅に向上させることができる。
【００４２】
尚、実施例では、ペット用糞処理装置１０の寸法、及び、材質を記載したが、ペット用糞処理装置１０は破損せず容易に持ち運びすることができれば、ペット用糞処理装置１０はそれらの寸法、及び、材質に限られるものでない。
【００４３】
また、付勢部材２６をアーム２２の上端と把持部材１８との間に設けたが、アーム２２と横支持棒２０との間にコイルバネ（図示せず）を設け、アーム２２を常時受け部材３０側に付勢するように構成しても良い。この場合、操作部材２４と把持部材１８とを手で握るさいコイルバネが邪魔に成らないため操作性が良く便利である。
【図面の簡単な説明】
【００４４】
【図１】本発明の一実施例を示すペット用糞処理装置の正面図である。
【図２】同図１のペット用糞処理装置の側面図である。
【図３】同図１のペット用糞処理装置の平面図である。
【図４】本発明のペット用糞処理装置に使用する袋の正面図である。
【図５】アームとロック爪が当接した受け部材の保持状態を示す図である。
【図６】ロック爪からアームが解除されて受け部材が支持部材から吊り下がる被保持状態を示す図である。
【図７】袋の把手をフックに係支した状態を示すペット用糞処理装置の側面図である。
【図８】受け部材に設けた袋押さえで開口した袋を押さえたペット用糞処理装置の平面図である。
【図９】糞を開口した袋内に捕らえている状態を示すペット用糞処理装置の側面図である。
【図１０】糞が入れられた袋を支持部材から吊り下げた受け部材の被保持状態のペット用糞処理装置の側面図である。
【符号の説明】
【００４５】
１０  ペット用糞処理装置
１２  支持部材
１４  縦支持棒
１６  取っ手
１８  把持部材
２０  横支持棒
２２  アーム
２４  操作部材
２６  付勢部材
３０  受け部材
３０Ａ  ロック爪
３２  回転軸
３４  袋押さえ
３６  フック
４０  袋
４２  開口
４４  把手
【図１】
2005295900.tif 000003
【図２】
2005295900.tif 000004
【図３】
2005295900.tif 000005
【図４】
2005295900.tif 000006
【図５】
2005295900.tif 000007
【図６】
2005295900.tif 000008
【図７】
2005295900.tif 000009
【図８】
2005295900.tif 000010
【図９】
2005295900.tif 000011
【図１０】
2005295900.tif 000012